(57)【要約】【課題】ころの脱落や保持器の半径方向または軸方向ずれを防止した上で、軸受運転中のころの温度上昇を抑制できるころ軸受用保持器を提供することである。【解決手段】ころ３の外径面と両側から向かい合う一対のポケット面の一方をころ３の外径面を受け入れる凹円弧面５ａで形成し、他方のポケット面を平坦面５ｂで形成することにより、凹円弧面５ａで形成した一方のポケット面でころ３の脱落や保持器４の半径方向ずれを防止するとともに、平坦面５ｂで形成したポケット面側でころ３の外径面との間に十分な潤滑剤を供給し、その冷却効果によって、軸受運転中のころ３の温度上昇を抑制できるようにした。【選択図】図１
2008057556.tif 000002
【特許請求の範囲】
【請求項１】
ころの外径面と両側から向き合う一対のポケット面を有するポケットが形成され、このポケットに前記ころを保持するころ軸受用保持器において、前記一対のポケット面の一方を前記ころの外径面を受け入れる凹面で形成し、他方を平坦面で形成したことを特徴とするころ軸受用保持器。
【請求項２】
前記保持器が、金属素材の削り出しで形成されるもみ抜き保持器である請求項１に記載のころ軸受用保持器。
【発明の詳細な説明】
【技術分野】
【０００１】
本発明は、ラジアル荷重用やスラスト荷重用のころ軸受に使用されるころ軸受用保持器に関する。
【背景技術】
【０００２】
円筒ころ軸受、円錐ころ軸受等の主としてラジアル荷重用のラジアルころ軸受や、スラスト荷重用のスラストころ軸受には、内輪や外輪の軌道面に配列されるころを保持するために、ころの外径面と両側から向き合う一対のポケット面を有するポケットが形成された保持器が使用されている。
【０００３】
このようなころ軸受用保持器では、ころの外径面と両側から向き合う一対のポケット面が、ころの脱落や、ラジアルころ軸受においては保持器の半径方向ずれ、スラストころ軸受においては保持器の軸方向ずれを防止するために、ころの外径面を受け入れる凹面で形成されている（例えば、特許文献１参照）。このポケット面の凹面は、特許文献１に記載されたもののように、保持器がころで案内されるものでは、ころの外径面に沿う凹円弧面とされることが多い。
【０００４】
上述したころ軸受用保持器は、金属素材の削り出しや、樹脂素材の射出成形等で形成されている。金属素材の削り出しで形成されるもみ抜き保持器は、例えば、ラジアルころ軸受用のものの場合は、後の実施形態を説明する図２、図３に示すように、円環状の金属素材１１に、各ポケットを形成する位置にドリル２１で下孔１２を開けて、エンドミル２２で下孔１２をポケット用の四角形孔１３に拡大したのち、図５（ａ）、（ｂ）に示すように、太鼓状のエンドミル２３で、四角形孔１３の対向する一対のポケット面１４を、それぞれ凹円弧面等の凹面に形成するようにしている。
【０００５】
【特許文献１】特開平１１−２１８１３５号公報
【発明の開示】
【発明が解決しようとする課題】
【０００６】
特許文献１に記載されたように、一対のポケット面を凹円弧面等の凹面で形成したころ軸受用保持器は、これらのポケット面ところの外径面との間に潤滑剤が供給され難く、潤滑剤によるころの冷却効率が悪い。このため、軸受の運転中にころが異常に温度上昇し、内外輪と焼付く恐れがある。金属素材の削り出しで形成されたもみ抜き保持器の場合は、ころが保持器と焼付く恐れもある。
【０００７】
そこで、本発明の課題は、ころの脱落や保持器の半径方向または軸方向ずれを防止した上で、軸受運転中のころの温度上昇を抑制できるころ軸受用保持器を提供することである。
【課題を解決するための手段】
【０００８】
上記の課題を解決するために、本発明は、ころの外径面と両側から向き合う一対のポケット面を有するポケットが形成され、このポケットに前記ころを保持するころ軸受用保持器において、前記一対のポケット面の一方を前記ころの外径面を受け入れる凹面で形成し、他方を平坦面で形成した構成を採用した。
【０００９】
すなわち、一対のポケット面の一方をころの外径面を受け入れる凹面で形成し、他方を平坦面で形成することにより、凹面で形成した一方のポケット面でころの脱落や保持器の半径方向または軸方向ずれを防止するとともに、平坦面で形成したポケット面側でころの外径面との間に十分な潤滑剤を供給し、その冷却効果によって、軸受運転中のころの温度上昇を抑制できるようにした。
【００１０】
前記保持器が、金属素材の削り出しで形成されるもみ抜き保持器の場合は、ポケット面を凹面に形成する切削工程を半減できるとともに、ころとの焼付きの恐れもなくすことができる。
【発明の効果】
【００１１】
本発明のころ軸受用保持器は、一対のポケット面の一方をころの外径面を受け入れる凹面で形成し、他方を平坦面で形成したので、凹面で形成した一方のポケット面でころの脱落や保持器の半径方向または軸方向ずれを防止するとともに、平坦面で形成したポケット面側でころの外径面との間に十分な潤滑剤を供給して、軸受運転中のころの温度上昇を抑制することができる。
【００１２】
前記保持器が、金属素材の削り出しで形成されるもみ抜き保持器の場合は、ポケット面を凹面に形成する切削工程を半減できるとともに、ころとの焼付きの恐れもなくすことができる。
【発明を実施するための最良の形態】
【００１３】
以下、図面に基づき、本発明の実施形態を説明する。図１は、本発明に係るころ軸受用保持器を使用したころ軸受を示す。このころ軸受は、内輪１と外輪２の軌道面１ａ、２ａ間に配列された複数のころ３を円環状の保持器４で保持したラジアルころ軸受であり、各ころ３の外径面と両側から向き合う一対のポケット面の一方が凹円弧面５ａで形成され、他方が平坦面５ｂで形成されている。したがって、凹円弧面５ａで形成された一方のポケット面でころ３の脱落や保持器４の半径方向ずれが防止されるとともに、平坦面５ｂで形成されたポケット面側でころ３の外径面との間に十分な潤滑剤が供給され、軸受運転中のころ３の温度上昇が抑制される。
【００１４】
前記保持器４は金属素材の削り出しで形成したものであり、まず、図２（ａ）、（ｂ）に示すように、円環状の金属素材１１に、各ポケットを形成する位置にドリル２１で下孔１２を開けたのち、図３（ａ）、（ｂ）に示すように、エンドミル２２で下孔１２をポケット用の四角形孔１３に拡大する。こののち、図４（ａ）、（ｂ）に示すように、太鼓状のエンドミル２３で、四角形孔１３の対向する一対のポケット面１４のうちの一方のみが凹円弧面５ａに形成され、他方は、エンドミル２２で加工されたままの平坦面５ｂとされている。したがって、図５（ａ）、（ｂ）に示した従来の保持器の加工と較べると、エンドミル２３によるポケット面の加工が半減される。
【００１５】
上述した実施形態では、保持器をラジアルころ軸受用のもみ抜き保持器としたが、本発明に係るころ軸受用保持器は、平面内にころを放射状に保持するスラスト軸受用のものにも適用することができ、樹脂素材の射出成形等で形成される保持器にも適用することができる。
【図面の簡単な説明】
【００１６】
【図１】本発明に係るころ軸受用保持器を使用したころ軸受を示す横断面図
【図２】ａは図１の保持器に下孔を開ける状態を示す一部省略側面図、ｂはａの横断面図
【図３】ａは図２の下孔をポケット用の四角形孔に拡大する状態を示す一部省略側面図、ｂはａの横断面図
【図４】ａは図３の四角形孔の一対のポケット面の一方を凹円弧面に形成する状態を示す一部省略側面図、ｂはａの横断面図
【図５】ａは従来の保持器の四角形孔の一対のポケット面を凹円弧面に形成する状態を示す一部省略側面図、ｂはａの横断面図
【符号の説明】
【００１７】
１  内輪
２  外輪
１ａ、２ａ  軌道面
３  ころ
４  保持器
５ａ  凹円弧面
５ｂ  平坦面
１１  金属素材
１２  下孔
１３  四角形孔
２１  ドリル
２２、２３  エンドミル
【図１】
2008057556.tif 000003
【図２】
2008057556.tif 000004
【図３】
2008057556.tif 000005
【図４】
2008057556.tif 000006
【図５】
2008057556.tif 000007